(57)【要約】【課題】ゴキブリまたはアリ防除剤及び防除方法を提供する。【解決手段】ビストリフルロン（Ｎ−（２−クロロ−３，５−ビス−（トリフルオロメチル）フェニル）−Ｎ’−（２，６−ジフルオロベンゾイル）ウレア）およびアリ類またはゴキブリ類の餌からなることを特徴とするアリ用またはゴキブリ用食毒剤ならびに当該食毒剤を用いてアリ類またはゴキブリ類が容易に出入りできる空間を有する適当な容器（ベイトステーション）に収納し、その容器をゴキブリ類またはアリ類の通り道に設置することを特徴とするアリおよびゴキブリの防除方法に関するものである。【特許請求の範囲】
【請求項１】
ビストリフルロン（Ｎ−（２−クロロ−３，５−ビス−（トリフルオロメチル）フェニル）−Ｎ’−（２，６−ジフルオロベンゾイル）ウレア）およびアリの餌からなることを特徴とするアリ用食毒剤。
【請求項２】
ビストリフルロン（Ｎ−（２−クロロ−３，５−ビス−（トリフルオロメチル）フェニル）−Ｎ’−（２，６−ジフルオロベンゾイル）ウレア）およびゴキブリの餌からなることを特徴とするゴキブリ用食毒剤。
【請求項３】
請求項１および２に記載の食毒剤をアリまたはゴキブリが容易に出入りできる空間を有する容器に収納し、その容器をアリまたはゴキブリの通り道に設置することを特徴とするアリおよびゴキブリの防除方法。
【発明の詳細な説明】
【０００１】
【発明の属する技術分野】
本発明は、有効成分としてビストリフルロン（Ｎ−（２−クロロ−３，５−ビス−（トリフルオロメチル）フェニル）−Ｎ’−（２，６−ジフルオロベンゾイル）ウレア）（以下本化合物という）を用い、アリまたはゴキブリの餌に含有させてなることを特徴とするアリまたはゴキブリ用食毒剤（以下本食毒剤という）、ならびに当該食毒剤を適当な容器（ベイトステーション）に収納し、その容器をゴキブリまたはアリの通り道に設置することを特徴とするアリおよびゴキブリの防除方法に関する。
【０００２】
【従来の技術】
アリ類またはゴキブリ類を防除するためには、殺虫剤をこれら昆虫の生息する場所へ散布したり、通り道上に殺虫剤を散布する、または屋外の巣に直接処理する方法が一般的である。一方、近年レスケミカル化の動きや処理の簡便さから食毒剤が好まれる傾向になった。食毒剤の効力を上げるためには如何に多くの殺虫成分をこれら昆虫に食べさせるか、またいかに多くの個体に伝搬させるかにかかっている。このような状況下で、文献１に示すように、ヒドラメチルノン等の殺虫剤がこれら昆虫用の食毒剤として用いられていた。しかしながら、これらの剤は上市されて長い年月が経過しており、食べ飽きや抵抗性などの問題が起こる可能性が指摘されてきた。
また、本化合物は、特許文献１に記載されており、アリまたはゴキブリに有効であることが述べられている。しかしながら、本化合物をアリまたはゴキブリの食毒剤として使用できることについては何ら記載されておらず、また示唆もされてもいない。
【０００３】
文献１：雑誌「化学」４９巻２号ｐ９２−９３，ヒドラメチルノン，  １９９４
特許文献１：アメリカ合衆国特許番号６，０２２，８８２
（２−ｃｈｌｏｒｏ−３，５−ｂｉｓ（ｔｒｉｆｌｕｏｒｏｍｅｔｈｙｌ）ｐｈｅｎｙｌ  ｂｅｎｚｏｙｌ  ｕｒｅａ  ｄｅｒｉｖａｔｉｖｅ  ａｎｄ  ｐｒｏｃｅｓｓ  ｆｏｒ  ｐｒｅｐａｒｉｎｇ  ｔｈｅ  ｓａｍｅ，  Ｋｉｍ，  ｅｔ  ａｌ．  Ｆｅｂｒｕａｒｙ  ８，２０００）
【０００４】
【発明が解決しようとする課題】
アリまたはゴキブリに有効な食毒剤を提供することが本発明の課題である。
【０００５】
【課題を解決するための手段】
本発明者はヒドラメチルノンを含有する食毒剤に対して、食べ飽きや抵抗性の発達しているアリ類またはゴキブリ類を簡単かつ長期間安定的に防除する方法について鋭意検討した結果、本化合物およびアリ類またはゴキブリ類の餌からなることを特徴とするゴキブリ用またはアリ用食毒剤をアリ類またはゴキブリ類に経口的に与えた場合、適度な遅効性と高い殺虫力を有することを見出した。すなわち、本発明は本化合物およびアリ類またはゴキブリ類の餌からなることを特徴とするアリ用またはゴキブリ用食毒剤ならびに当該食毒剤を用いて適当な容器（ベイトステーション）に収納し、その容器をゴキブリ類またはアリ類の通り道に設置することを特徴とするアリ類およびゴキブリ類の防除方法に関するものである。
【０００６】
本発明に用いるアリ用またはゴキブリ用の餌とはアリ類またはゴキブリ類が好んで食す有機物であれば特に限定は無く、例えば、米、ヒマワリの種、トウモロコシ、カボチャの種、アーモンドなどの植物の種子類、リンゴ、ブドウ、パイナップルなどの植物の果実、サツマイモ、ジャガイモ等の植物の地下茎や根部分、大豆油、ゴマ油等の植物油、砂糖、糖蜜、デキストリン等の糖類、オキアミ、魚粉、イナゴ、牛肉、レバーなどの動物性食物が挙げることができる。
【０００７】
次に本化合物を用いてアリまたはゴキブリ防除用食毒剤の調整について述べる。本化合物およびアリまたはゴキブリの餌となる前述の素材をよく混合して作成する。また、アリまたはゴキブリの誘引物質、例えば、フェロモン、グリコールエーテル類、ゴキブリ、アリの死骸等を加えることが好ましい。調整法については特に限定されないが、一般的には本化合物を適当量の揮発性有機溶媒または水に溶解し、アリはたはゴキブリの餌となる前述の素材とよく混合、乾燥することにより、目的の食毒剤を得ることができる。
【０００８】
本化合物をアリおよびゴキブリの餌に含有させる濃度としては、アリまたはゴキブリの餌１００重量％あたり、０．０００１重量％から１０重量％の範囲であればよく、好ましくは０．００１重量％から１重量％の範囲である。
【０００９】
本食毒剤をそのまま用いてアリまたはゴキブリを防除することもできるが、本食毒剤を適当な容器（ベイトステーション）に収納し、その容器をゴキブリまたはアリの通り道に設置することが好ましい。
容器の形状としては、特に制限はないが、アリ類またはゴキブリ類がその容器に容易に出入りできる十分な空間を有していることが必要である。
【００１０】
次に製剤例及び実施例によりさらに詳細に説明するが、本発明がこれらによって限定されることはない。
【００１１】
（製剤例１）  ゴキブリ用食毒剤の製造
本化合物をホモジェナイザーで微粉砕し、表１に示すゴキブリの餌となる素材に均一に加えて混合した。その後、５０ｇ容量のビニール製チューブに充填して、食毒剤を得た。なお、表中の数字は重量％で示す。
尚、組成物４については、本化合物をアセトン５ｍｌに溶解させ、クレーに均一に滴下攪拌し、その後十分に風乾させた。
【表１】
2004217569.tif 000002
（製剤例２）アリ用食毒剤の製造
本化合物をホモジェナイザーで微粉砕し、表２に示すアリの餌となる素材に均一に加えて混合した。その後、直径１ｍｍの粒状成型機で、粒状の食毒剤を得た。なお、表中の数字は重量％で示す。
【表２】
2004217569.tif 000003
【００１２】
【実施例１】チャバネゴキブリに対する殺虫効果試験
直径８．５ｃｍのプラスチックカップの底面に、１ｇの本発明組成物１または２を濾紙上に設置した。比較例１および２として、１ｇの本化合物を含有しない組成物３および本化合物を含むがゴキブリの餌を含まない組成物４を同様に濾紙上に設置した。その後、それぞれのカップ内にチャバネゴキブリ若令幼虫１０頭を放虫し、脱脂綿を置き水分補充できる状態で  １週間ごとに３週間までゴキブリ幼虫の死虫率を観察した。尚、組成物４の試験系については、スキムミルク１０％液を含ませた脱脂綿も加えた。その結果を表３に示す。
【表３】
2004217569.tif 000004
本発明組成物１および２は何れもゴキブリ幼虫に対して３週間までに１００％の致死効果を示した。一方、比較例１および２では、ほとんど致死効果を示さなかった。
【００１３】
【実施例２】アリに対する殺虫効果試験
野外のトビイロシワアリの巣出入り口から２０ｃｍ離れたところに、組成物５を２ｇ置き、その３時間後に放置した組成物５を回収して重量を測定し、トビイロシワアリが組成物５を運搬した量を求めることにより、巣に運搬された量を百分率で算出した。比較例１３として、本化合物を含有していない組成物６を用いて組成物５と同様の方法で、別のトビイロシワアリの野外巣で実施した。この手順を２週ごとに繰り返し、１４週目まで実施した。それぞれ２反復行いその平均を求めた。その結果を表４に示す。
【表４】
2004217569.tif 000005
組成物５では、８週間目では正常な運搬量を示したが、１０週目で４０％、１２週以降ではまったく運搬されず、アリのコロニーが正常な機能をしなくなった。一方、本化合物を含有していない組成物６では、１２週目まで正常な運搬活動を示した。
【００１４】
【発明の効果】
本発明食毒剤を用いることによって、ゴキブリまたはアリを防除することができた。